(57)【要約】【課題】コンパクトでスムースに出し入れ可能であって、上下左右に振れることのないスライド型門扉を提供する。【解決手段】スライド型門扉１０は扉部１１とこの扉部を収納する前記収納部１２とからなり、前記収納部は、開口部２１を有する固定枠体２４と、前記固定枠体の天井部及び底部に互いに対向するように設けられた断面コ字型の形状を有する一対のガイドレール２５、２６とを有すると共に、前記扉部は、前記扉部が前記開口部２１を通して前記収納部内をスライドする際、前記固定枠体２４が前記扉部を支持して前記一対のガイドレール内を滑動するように前記扉部の一側部の上下にそれぞれ設けられた複数個のローラ４３、５４とを具備し、前記複数個のローラは前記各ガイドレールの左右側壁及び底面に沿って回動するように設けられている。【選択図】　　図２
2004027738.tif 000002
【特許請求の範囲】
【請求項１】
収納部と前記収納部内に収納される扉部とからなるスライド型門扉であって、
前記収納部は、開口部を有する固定枠体と、前記固定枠体の天井部及び底部に互いに対向するように設けられた断面コ字型の形状を有する一対のガイドレールとを有すると共に、
前記扉部は、前記扉部が前記開口部を通して前記収納部内をスライドする際、前記固定枠体が前記扉部を支持して前記一対のガイドレール内を滑動するように前記扉部の一側部の上下にそれぞれ設けられた複数個のローラとを具備し、
前記複数個のローラは前記各ガイドレールの左右側壁及び底面に沿って回動するように設けられていることを特徴とするスライド型門扉。
【請求項２】
前記各複数個のローラは、スライド方向に互いに離間して設けられていることを特徴とする請求項１記載のスライド型門扉。
【請求項３】
前記扉部の一側部を扉支持部とし、前記扉支持部を形成する上部材及び下部材にスライド方向に互いに離間して各々前記複数個のローラを設けることを特徴とする請求項１記載のスライド型門扉。
【請求項４】
前記上部材及び下部材の側面には、スライド方向に互いに離間して前記各ガイドレールの左右側壁に沿って回動するローラが設けられていることを特徴とする請求項３記載のスライド型門扉。
【請求項５】
スライド方向に互いに離間して少なくとも１つのローラを有する断面コ字型のチャンネル部材を前記上部材及び下部材に取り付けることを特徴とする請求項３記載のスライド型門扉。
【請求項６】
前記チャンネル部材に設けられた前記ローラは前記各ガイドレールの底面に沿って回動するように設けられていることを特徴とする請求項５のスライド型門扉。
【請求項７】
前記固定枠体には収納カバー又は化粧板が設けられることを特徴とする請求項１記載のスライド型門扉。
【発明の詳細な説明】
【０００１】
【産業上の利用分野】
本発明はスライド型扉に関し、特に、マンション用ポーチ、垣根、フェンス等の出入り口用に適したスライド型扉に関するものである。
【０００２】
【従来の技術】
最近の集合住宅、特に、高級マンションにおいては、各個マンション部分の出入り口となるドア−に面して共通した廊下部分に個別のマンション用ポーチを設け、当該ポーチ内に花壇を形成したりして周囲に潤いを与えている。
【０００３】
しかし、前記ポーチの大きさは、通常、前記廊下部分に沿った各ドア−を含む各個マンション部分の長さで、奥行きが１．５ｍ程度である。それ故、前記ポーチに設ける扉が開き扉、即ち、軸を中心とした開閉扉であると、前記ポーチ内の使い勝手が悪く、前記ポーチ内を有効に活用することができない。このことは、マンション用ポーチに限らず、垣根、フェンス等においても同様である。
【０００４】
【発明が解決しようとする課題】
それ故、本発明の目的は、上下左右に振れることのないスライド型門扉を提供することにある。
【０００５】
本発明の他の目的は、構造が簡単で信頼性の高いスライド型門扉を提供することにある。
【０００６】
本発明の別の目的は、コンパクトでスムースに出し入れ可能なスライド型門扉を提供することにある。
【０００７】
【課題を解決するための手段】
本発明によれば、開口部を有する固定枠体と、前記固定枠体の天井部及び底部に互いに対向するように設けられた断面コ字型の形状を有する一対のガイドレールとを有すると共に、扉を形成する扉部材が前記開口部を通して収納部内をスライドする際、前記固定枠体が前記扉部材を支持して前記一対のガイドレール内を滑動するように前記扉部材の一側部の上下にそれぞれ設けられた複数個のローラとを具備し、前記複数個のローラは前記各ガイドレールの左右側壁及び底面に沿って回動するように設けられている。
【０００８】
【発明の実施の形態】
本発明によるスライド型門扉は、収納部と前記収納部内に収納される扉部とからなり、前記収納部は、開口部を有する固定枠体と、前記固定枠体の天井部及び底部に互いに対向するように設けられた断面コ字型の形状を有する一対のガイドレールとを有すると共に、前記扉部は、扉部材と、前記扉部材が前記開口部を通して前記収納部内をスライドする際、前記固定枠体が前記扉部材を支持して前記一対のガイドレール内を滑動するように前記扉部材の一側部の上下にそれぞれ設けられた複数個のローラとを具備し、前記複数個のローラは前記各ガイドレールの左右側壁及び底面に沿って回動するように設けられている。
【０００９】
【実施例】
図１は本発明の実施例によるスライド型門扉１０を示し、各マンション部分のドア−に面して共通した廊下部分に形成される個別のマンション用ポーチに適用したものである。
【００１０】
前記スライド型門扉１０は、矢印の方向に手動により自在にスライドされる扉部１１と、前記扉部１１を収納し、断面コ字型の収納カバー（化粧板）を有し、固定枠体からなる収納部１２とからなり、前記扉部１１には前記扉部を開閉、即ち、スライドさせる取っ手となる貫通部１３が設けられている。前記収納部１２を形成する前記固定枠体はマンション廊下部分１４に固定され、また、前記扉部は前記ポーチの出入り口を定めるように門柱１５に当接するようにされている。
【００１１】
図２は前記スライド式門扉１０の前記扉部１１及び前記収納部１２を示す分解斜視図である。
【００１２】
前記収納部１２は、一端に開口部２１を有するように形成され、一対の枠部材２２、２３とからなる固定枠体２４と、前記枠部材２２、２３間、即ち、前記固定枠体２４の天井部及び底部に互いに対向するように設けられた断面コ字型の形状を有する一対のガイドレール、即ち、上側ガイドレール２５及び下側ガイドレール２６とから構成されている。前記収納部１２を構成する前記固定枠体２４は適宜収納カバー２７で覆われる。また、前記一対の枠部材２２、２３とからなる前記固定枠体２４は、例えば、四角筒体或いは他の種々の形状を有する材料で形成することができる。
【００１３】
一方、前記扉部１１は、前記扉部１１が前記収納部１２から引き出されて前記門柱１５に当接した際に露出される表面部３１と、前記表面部３１に隣接し、前記扉部１１を上下方向及び左右方向に振れないように支持すると共に、前記固定枠体２４における前記上側ガイドレール２５及び下側ガイドレール２６内をスライドする後述する複数個のローラを有すると共に、幅Ｌを有する扉支持部３２とからなる。この幅Ｌは前記扉部を安定して保持できる幅であればよい。
【００１４】
前記扉部１１は、前記表面部３１及び前記扉支持部３２を含む全体を、例えば、四角筒体により枠体を形成し、前記扉支持部３２とするため、前記枠体に四角筒体からなる補強部材３３を設けることにより構成することができる。
【００１５】
また、前記扉部１１は、前記表面部３１と前記扉支持部３２とを枠状の別体で作り、これらを適宜一体にして形成することもできる。この場合、前記したように、前記扉支持部３２には複数個のローラを取り付けるので、前記扉支持部３２は四角筒体で形成する。さらに、前記表面部３１には化粧板などを適宜設けることができる。
【００１６】
図３は前記扉支持部３２を形成する上部材及び下部材にスライド方向に互いに離間して各々前記複数個のローラを設ける状態を示す分解斜視図である。なお、図においては前記下部材の一部のみを示している。
【００１７】
即ち、四角筒体からなる前記下部材４１の両側面にスライド方向に互いに離間して開口部４２を設け、これら開口部にローラ４３を有するローラ体４４をビス４５により取り付ける。他端部においても同様である。即ち、前記下部材４１の端部における両側面には４個のローラ体４４が取り付けられ、また、前記上部材においても同様であり、これらが、前記したように、前記固定枠体２４における前記上側ガイドレール２５及び下側ガイドレール２６の左右側壁に沿って回動する。
【００１８】
また、前記下部材４１の底面には、２個の断面コ字型のチャンネル部材５１，５２がビス５３を介して取り付けられる。各チャンネル部材５１，５２の両端部には、スライド方向に互いに離間してローラ５４を有するローラ体５５が設けられ、そのローラ５４が前記固定枠体２４における前記上側ガイドレール２５及び下側ガイドレール２６の底面に沿って回動する。前記上部材においても同様である。
【００１９】
なお、前記においては２個の前記チャンネル部材５１，５２を使用しているが、１個のチャンネル部材を用い、互いに離間してそれぞれ１個或いはそれ以上のローラ体を取り付けることもできる。
【００２０】
図４は図２において前記扉部を前記収納部に収納した状態でその中央部における前記門柱方向から見た前記スライド型扉１０の断面図を示す。
【００２１】
図４に示すように、前記固定枠体２４の天井部及び底部には、それぞれ互いに対向するように断面コ字型の上側ガイドレール２５及び下側ガイドレール２６が設けられ、前記扉支持部３２は、スライド方向に互いに離間して設けられた前記ローラ４３，５４により前記ガイドレール内の左右側壁及び底面に沿って回動し、前記収納部１２内に位置するように形成されている。それ故、このような構造体により前記扉部１１の全重量が安定して支持されると共に、その収納方向に対する上下方向の縦振れ及び左右方向の横振れが抑制される。
【００２２】
前記実施例においては、前記扉支持部３２を形成する前記上部材及び下部材に２個の断面コ字型のチャンネル部材５１，５２を取り付け、このチャンネル部材に互いに離間して前記ガイドレールの底面を回動する前記ローラ５４を設けている。
【００２３】
図５は前記チャンネル部材５１，５２使用することなく、前記扉支持部３２の前記上部材及び下部材に直接前記ガイドレールの底面を滑動する前記ローラ５４を設ける構造を示す。なお、図においては前記下部材４１の一部のみを示し、Ａは一部断面図で、Ｂは側面図である。
【００２４】
即ち、前記ローラ４３及び５４の取り付けスペースを考慮して、前記ローラ体４４に隣接して前記下部材４１に２つの開口部を並列して設け、これら開口部にそれぞれローラ５４を有するローラ体５５を取り付ける。前記上部材においても同様である。
【００２５】
図５に示すように、前記ローラ体５５は前記ローラ体４４の内側に配置されているが、前記扉部１１の縦方向の安定性を考慮して、前記ローラ体５５を前記扉支持部３２の両端部付近に取り付け、前記ローラ体４４をその内側に取り付けることもできる。また、スライド方向に互いに離間して設けられた前記ローラ５４はその大きさにより１個でもよい。さらに、前記固定枠体２４に対して必要に応じて前記扉部に対するストッパを設けてもよい。
【００２６】
前記スライド式門扉１０を形成する各構成部材は鉄材、スチール等の金属、樹脂その他の材料から作ることができ、また、前記扉部１１に設けられた前記貫通部１３に代えて取っ手を取り付けることもできる。さらに、前記スライド式門扉１０を個別のマンション用ポーチに適用しているが、他の種々の扉に適用できることは明らかである。
【００２７】
【発明の効果】
本発明によるスライド型門扉によれば、固定枠体内に断面コ字型の形状を有する一対のガイドレールを設け、扉部を支持して前記一対のガイドレール内を滑動するように複数個のローラを扉支持部に取り付けて、前記複数個のローラが前記各ガイドレールの左右側壁及び底面に沿って回動するように設けているので、
扉部の全重量が安定して支持されると共に、前記扉部の収納方向に対する上下方向の縦振れ及び左右方向の横振れが抑制される。
【図面の簡単な説明】
【図１】本発明の実施例によるスライド型門扉を示す斜視図である。
【図２】図１における前記スライド型門扉の扉部及び収納部を示す分解斜視図である。
【図３】図２において前記扉部の扉支持部を形成する上部材及び下部材にスライド方向に互いに離間して複数個のローラを設ける状態を示す分解斜視図である。
【図４】前記扉部を前記収納部に収納した状態でその中央部における門柱方向から見た前記スライド型門扉を示す断面図である。
【図５】前記扉支持部の前記上部材及び下部材に直接ガイドレールの底面を滑動するローラを設ける構造を示し、Ａは一部断面図で、Ｂは側面図である。
【符号の説明】
１０…スライド型門扉、１１…扉部、１２…収納部、１３…貫通部、１４…マンション廊下部分、１５…門柱、２１…開口部、２２、２３…枠部材、２４…固定枠体、２７…収納カバー、３１…表面部、３２…扉支持部、３３…補強部材、４１…下部材、４２…開口部、４３…ローラ、４４…ローラ体、４５…ビス、５１、５２…チャンネル部材、５３…ビス、５４…ローラ、５５…ローラ体
【図１】
2004027738.tif 000003
【図２】
2004027738.tif 000004
【図３】
2004027738.tif 000005
【図４】
2004027738.tif 000006
【図５】
2004027738.tif 000007